(57)【要約】【課題】普通券として使用されるような短期使用券を非接触式トークンとしたときの紛失したトークンを正確に検出できるようにする。【解決手段】トークン発行機から発行された非接触式トークンを用いて非接触式自動改札機を介して入場し、その非接触式自動改札機に投入して出場し、その非接触式自動改札機で回収された非接触式トークンをそのトークン発行機にセットして非接触式トークンを再利用する非接触式トークンを用いた改札処理システムにおける非接触式トークンの管理システムであって、前記トークン発行機から所定の期間に発行された非接触式トークンの発行数と、前記非接触式自動改札機に投入して入場処理された前記非接触式トークンの入場数との差から所定の期間における非接触式トークンの入場側の紛失数を算出する入場側紛失トークン数検出手段を有する。【選択図】　　　図１
2004005101.tif 000002
【特許請求の範囲】
【請求項１】
トークン発行機から発行された非接触式トークンを用いて非接触式自動改札機を介して入場し、その非接触式自動改札機に投入して出場し、その非接触式自動改札機で回収された非接触式トークンをそのトークン発行機にセットして非接触式トークンを再利用する非接触式トークンを用いた改札処理システムにおける非接触式トークンの管理システムであって、
前記トークン発行機から発行された所定の期間における前記非接触式トークンの発行数を抽出する発行トークン数抽出手段と、
前記所定の期間内における前記非接触式自動改札機に投入して入場処理された前記非接触式トークンの入場数を抽出する入場トークン数抽出手段と、
抽出された非接触式トークンの発行数及び入場数の差から前記所定の期間における非接触式トークンの入場側の紛失数を算出する入場側紛失トークン数検出手段と、
を有することを特徴とする非接触式トークンの管理システム。
【請求項２】
トークン発行機から発行された非接触式トークンを用いて非接触式自動改札機を介して入場し、その非接触式自動改札機に投入して出場し、その非接触式自動改札機で回収された非接触式トークンをそのトークン発行機にセットして非接触式トークンを再利用する非接触式トークンを用いた改札処理システムにおける非接触式トークンの管理システムであって、
前記所定の期間内における前記非接触式自動改札機に投入して入場処理された前記非接触式トークンの入場数を抽出する入場トークン数抽出手段と、
前記所定の期間内における前記非接触式自動改札機に投入して出場処理された前記非接触式トークンの出場数を抽出する出場トークン数抽出手段と、
抽出された非接触式トークンの入場数及び出場数の差から前記所定の期間における非接触式トークンの出場側の紛失数を算出する出場側紛失トークン数検出手段と、
を有することを特徴とする非接触式トークンの管理システム。
【請求項３】
トークン発行機から発行された非接触式トークンを用いて非接触式自動改札機を介して入場し、その非接触式自動改札機に投入して出場し、その非接触式自動改札機で回収された非接触式トークンをそのトークン発行機にセットして非接触式トークンを再利用する非接触式トークンを用いた改札処理システムにおける非接触式トークンの管理システムであって、
前記トークン発行機から発行された所定の期間における前記非接触式トークンの発行数を抽出する発行トークン数抽出手段と、
前記所定の期間内における前記非接触式自動改札機に投入して入場処理された前記非接触式トークンの入場数を抽出する入場トークン数抽出手段と、
抽出された非接触式トークンの発行数及び入場数の差から前記所定の期間における非接触式トークンの入場側の紛失数を算出する入場側紛失トークン数検出手段と、
前記所定の期間内における前記非接触式自動改札機に投入して出場処理された前記非接触式トークンの出場数を抽出する出場トークン数抽出手段と、
抽出された非接触式トークンの入場数及び出場数の差から前記所定の期間における非接触式トークンの出場側の紛失数を算出する出場側紛失トークン数検出手段と、
検出された入場側紛失数及び出場側紛失数の合計から前記所定の期間内の総紛失数を算出する総紛失数算出手段と、
を有することを特徴とする非接触式トークンの管理システム。
【請求項４】
請求項１〜３のいずれかに記載の非接触式トークンの管理システムにおいて、所定の期間は１日であることを特徴とする非接触式トークンの管理システム。
【発明の詳細な説明】
【０００１】
【発明の属する技術分野】
本発明は、非接触式トークンを用いて列車に乗車する改札処理システムの非接触式トークンの管理システムに関する。
【０００２】
【従来の技術】
本出願人は、先に、特願２００１−３０７５４７号等において、非接触式トークン（以下、「トークン」という。）を用いた改札処理システムを提案している。この改札処理システムは、利用者（旅客）が列車（電車）に乗車するときにトークン発行機で所定の情報（トークンデータ）の記録されているトークンを購入し、その購入したトークンを非接触式自動改札機のアンテナに軽くタッチし、又はそのアンテナにかざすと（以下、タッチで説明する。）、非接触式自動改札機とトークンとの間でデータ授受が行われて入場が許可されて列車に乗車することができる。そして、降車駅に設置されている非接触式自動改札機の投入口にトークンが投入されると、その投入されたトークンと非接触式自動改札機との間でデータ授受が行われて出場が許可される。なお、乗越し等において精算処理が必要なとき、トークンは、精算機を用いて精算処理を行った後に非接触式自動改札機の投入口に投入される。非接触式自動改札機の投入口に投入されて回収されたトークンは、再びトークン発行機にセットされて再利用（再使用）される。この提案に係る改札処理システムは、トークンが回収されて繰返し利用されるので、資源の有効活用を図ることができるなどの特長を有している。
【０００３】
しかしながら、上記提案に係る改札処理システムで用いられるトークンは、所定の寿命が決められているので、その寿命が到来したトークンを改札処理システムから回収して新しいトークンを補給する必要がある。このため、補給用としてどの程度のトークン数が必要かを予想し、その予想に基づいて補給用トークンを用意しておく必要がある。なお、トークンの寿命は、トークンの利用期間及び利用回数により予め決められている。すなわち、トークンは、トークンの利用開始時から所定期間（例えば７年〜１０年）経過すると、又は、トークンの利用回数が所定回数（例えば１万回）に達すると、トークンに記録されているデータの読取り、又はトークンに対するデータの書込みにミスが生じる可能性が高くなるので、トークンの利用期間及び利用回数に基づく寿命が予め決められている。
【０００４】
また、トークンを用いた改札処理システムにおいては、システム全体におけるトークンの利用状態である流動率を把握しておかないと、システム内において利用されないトークンが大量に発生して結果的に過剰設備になったり、逆に、システム内においてトークン数が不足すると改札処理システムの運用に支障を来すこととなる。このため、改札処理システム内のトークンの利用状態である流動率や１日の利用トークン数を適確に把握しておく必要がある。
【０００５】
これら要望に応えるために、本出願人は、特願２００２−２５４５０号及び同２８２７６号等において、寿命の到来したトークンを回収したり、トークンの利用状態や流動率を把握できるトークン管理システムを提供している。
【０００６】
【発明が解決しようとする課題】
上記提案に係るトークン管理システムでは、トークンの回収や利用状態を的確に把握できるという特長を有しているが、紛失したトークンを正確に把握してトークンの在庫管理に役立てたいという要望があった。すなわち、トークンは、発行されても使用されなかったり、あるいは、入場から出場の間に紛失したりすることがあるので、これら紛失トークン数を的確に把握して、正確な在庫管理に役立たせたいという要望があった。
【０００７】
そこで、本発明は、上述の要望に応えるためになされたものであって、トークンの紛失数を正確に把握することのできるトークンの管理システムを提供することにある。
【０００８】
【課題を解決するための手段】
本発明に係るトークンの管理システムは、上記目的を達成するため、請求項１に記載の発明は、トークン発行機から発行されたトークンを用いて非接触式自動改札機を介して入場し、その非接触式自動改札機に投入して出場し、その非接触式自動改札機で回収されたトークンをそのトークン発行機にセットしてトークンを再利用するトークンを用いた改札処理システムにおけるトークンの管理システムであって、前記トークン発行機から発行された所定の期間における前記トークンの発行数を抽出する発行トークン数抽出手段と、前記所定の期間内における前記非接触式自動改札機に投入して入場処理された前記トークンの入場数を抽出する入場トークン数抽出手段と、抽出されたトークンの発行数及び入場数の差から前記所定の期間におけるトークンの入場側の紛失数を算出する入場側紛失トークン数検出手段と、を有することを特徴としている。
【０００９】
本発明に係るトークンの管理システムは、上記目的を達成するため、請求項２に記載の発明は、トークン発行機から発行されたトークンを用いて非接触式自動改札機を介して入場し、その非接触式自動改札機に投入して出場し、その非接触式自動改札機で回収されたトークンをそのトークン発行機にセットしてトークンを再利用するトークンを用いた改札処理システムにおけるトークンの管理システムであって、前記所定の期間内における前記非接触式自動改札機に投入して入場処理された前記トークンの入場数を抽出する入場トークン数抽出手段と、前記所定の期間内における前記非接触式自動改札機に投入して出場処理された前記トークンの出場数を抽出する出場トークン数抽出手段と、抽出されたトークンの入場数及び出場数の差から前記所定の期間におけるトークンの出場側の紛失数を算出する出場側紛失トークン数検出手段と、を有することを特徴としている。
【００１０】
本発明に係るトークンの管理システムは、上記目的を達成するため、請求項３に記載の発明は、トークン発行機から発行されたトークンを用いて非接触式自動改札機を介して入場し、その非接触式自動改札機に投入して出場し、その非接触式自動改札機で回収されたトークンをそのトークン発行機にセットしてトークンを再利用するトークンを用いた改札処理システムにおけるトークンの管理システムであって、前記トークン発行機から発行された所定の期間における前記トークンの発行数を抽出する発行トークン数抽出手段と、前記所定の期間内における前記非接触式自動改札機に投入して入場処理された前記トークンの入場数を抽出する入場トークン数抽出手段と、抽出されたトークンの発行数及び入場数の差から前記所定の期間におけるトークンの入場側の紛失数を算出する入場側紛失トークン数検出手段と、抽出されたトークンの入場数及び出場数の差から前記所定の期間におけるトークンの出場側の紛失数を算出する出場側紛失トークン数検出手段と、前記所定の期間内における前記非接触式自動改札機に投入して出場処理された前記トークンの出場数を抽出する出場トークン数抽出手段と、検出された入場側紛失数及び出場側紛失数の合計から前記所定の期間内の総紛失数を算出する総紛失数算出手段と、を有することを特徴としている。
本発明の請求項４に記載のトークンの管理システムは、所定の期間は１日であることを特徴としている。
【００１１】
【発明の実施の形態】
以下、本発明の実施の形態を図面に基づいて説明する。図１は、一実施の形態に係るトークンの管理システムを適用した改札処理システムの概略構成図である。ここでは、図面を簡略化するために、また、説明を簡単にするために、路線図は、甲駅及び乙駅の２駅を有する簡易なものとして示されている。
【００１２】
各駅（甲駅及び乙駅）には、非接触式自動改札機（以下、「自動改札機」という。）Ｇ，Ｇ、トークン発行機ａ，ａ及び精算機ｂ，ｂがそれぞれ設置されている。
【００１３】
トークン発行機ａは、所定の金銭（金銭をプリペイドカード等のカード類で支払う場合も含む。）が投入されると、自動改札機Ｇを用いて入場可能なコイン状トークンＴが発行されるように構成されている。すなわち、このトークン発行機ａは、タッチパネル等からなる口座釦群の中から所定の口座釦が押下され、かつ、その押下された口座釦の金額を満たす金銭が投入されると、所定のトークンデータの書込まれたトークンＴが発行されるように構成されている。なお、トークンＴは、コイン状としたが、カード状とすることもできる。
【００１４】
精算機ｂは、本出願人に係る特許第２８３９３９３号に示されるように、図示しないが、非接触式定期券からなる非接触券やトークンＴ（以下、トークンのみで説明する。）と交信する交信部と、その交信部を介して入力したそのトークンＴに記録されているデータを基に演算処理して不足料金を算出する不足料金算出部と、その不足料金算出手段で算出された不足料金を表示する表示部と、その表示部に表示された料金（プリペイドカード等のカード類も含む。）が投入されたときに交信部を介してそのトークンＴに精算済データを書込む書込部とから構成されている。したがって、この精算機ｂは、周知の磁気券用の精算機のように、精算原券を内部に回収する必要がなく、また、新たな精算券を発行することなく精算済みのトークンＴを自動改札機Ｇで使用できる特長を有している。
【００１５】
自動改札機Ｇは、図示しないが、入口側の筐体の上面に自動改札機Ｇが出場用として用いられたときのトークンＴを投入するための投入口と、自動改札機Ｇが入場用として用いられたときのトークンＴ（改札処理システムで非接触券も用いられるときは、その非接触券も含む。）と交信するためのアンテナが設けられている。投入口には、投入されたトークンＴと交信するためのアンテナが設けられているとともに、その投入されたトークンＴを自動改札機Ｇ内に回収する回収ボックスが設けられている。
【００１６】
また、この自動改札機Ｇには、図示しないが、筐体の改札通路の入口側には、自動改札機Ｇの使用状態、つまり、改札通路を通過できるか否かを利用者に表示するための表示部、その改札通路への利用者の進入又は改札通路からの退出、あるいは、通過を検知するための人間検知器、利用者に対して音声により所定の案内をアナウンスするためのスピーカ、及び利用者に対して文字により所定の案内を行うための表示画面等が設けられている。
【００１７】
なお、上述のトークン発行機ａ及び精算機ｂは、利用者操作型であるが、係員窓口に設置される係員操作型であってもよい。係員操作型のトークン発行機は、係員に所定の金額の金銭を支払うことによって所定のトークンが発行される。また、係員操作型の精算機は、係員に所定の精算料金を支払うことによって精算処理される。通常、駅（甲駅，乙駅）には、このような係員操作型のトークン発行機及び精算機も設置されているが、図１では省略されている。したがって、本発明のトークン発行機及び精算機には、係員操作型のトークン発行機及び精算機も含まれている。
【００１８】
図１中、ｃ１，ｃ２は、各駅（甲駅，乙駅）にそれぞれ設置されている駅務機器（トークン発行機ａ，精算機ｂ，自動改札機Ｇ）を管理制御する駅務機器制御装置、いわゆる駅制であって、マイクロコンピュータを中心に構成されている。これら駅制ｃ１，ｃ２は、通信回線Ｌ，Ｌを介して鉄道会社の本社等の所定の中央（図示の例では本社）に設けられているホストコンピュータＨに接続されている。このホストコンピュータＨは、本発明の各手段を担うもので、その図示しないメモリには、後述するトークン毎のデータベースが設けられている。
【００１９】
図２は、上述のトークン発行機ａ、精算機ｂ又は自動改札機Ｇからなるトークン処理機の制御器１及びトークンＴの電気的構成を示すブロック図である。制御器１側から説明すると、この制御器１の制御部２は、メモリ３に記憶されているシステムプログラム及びワーキングデータを用いて演算処理を行って、トークン処理機を統括的に制御できるように構成されている。そして、この制御部２には、図示しないＩ／Ｏユニットを介して処理ユニット４が接続されている。この処理ユニット４には、トークン処理機が自動改札機Ｇの場合は、ドアを駆動制御するドア駆動ユニット、表示画面の表示内容を駆動制御する表示画面駆動ユニット、スピーカを駆動制御する音声ドライバ、人間検知器の検知信号を入力するためのセンサアンプ等が含まれる。トークン処理機がトークン発行機ａの場合の処理ユニット４には、トークン発行ユニット、金銭処理ユニット等が含まれ、また、トークン処理機が精算機の場合の処理ユニット４には、金銭処理ユニット等が含まれる。
【００２０】
リーダライタＲには、トークンＴと交信を行うためのアンテナＡが接続されている。このアンテナＡは、トークンＴとデータ授受を行う機能と、トークンＴに電力を供給するための機能とを有している。
【００２１】
トークンＴは、無線通信機能を有する周知のＩＣカードからなる非接触券と同様に、アンテナ１０と、通信制御部１１と、ＣＰＵ１２と、メモリ１３と、自動改札機Ｇからの電力波をアンテナ１０を介して受信し、トークンＴの駆動電力を生成する電力生成回路１４とを有している。メモリ１３には、ＣＰＵ１２の演算処理用のシステムプログラムデータ、トークンＴのＩＤ（識別情報）及びトークンＴが乗車券として用いられるのに必要な運賃データや区数データ等の所定のデータ（トークンデータ）が記録されている。
【００２２】
以下、図３のフローチャートを用いて紛失トークン数を求めるホストコンピュータＨの制御動作について説明する。本社等の所定の中央に設けられているホストコンピュータＨには、トークン発行機ａからトークンＴが発行される毎にその発行に係るトークンＴのＩＤを含むトークンデータが駅制Ｃ１，Ｃ２を介して収集されて図示しないメモリに記憶されている。このようなトークンデータは、精算機ｂ，ｂ及び改札機Ｇ，ＧからもトークンＴに対する処理を行う毎に収集されて記憶されている。
【００２３】
ホストコンピュータＨでは、甲駅及び乙駅間の最終列車の運転が終了し、当日の列車運行業務が終了すると（ステップ１００肯定）、メモリに記憶されているトークンデータを用いた紛失の演算処理が開始される。紛失トークン数の検出は、入場側（図１では甲駅側）及び出場側（図１では乙駅側）に分けて行われる。
【００２４】
入場側における紛失数Ｎ１の検出は、甲駅に設置されているトークン発行機ａで当日（本発明の所定の期間に相当している。）に発行されたトークン数からその当日に自動改札機Ｇに投入して入場処理された入場トークン数を減算して行われる（ステップ１０２）。この入場側のトークンＴの紛失は、トークン発行機ａからトークンＴの発行を受けたが、それを使用せずに利用者が持ち去ったものなどである。
【００２５】
出場側におけるトークンＴの紛失数Ｎ２の検出は、甲駅に設置されている自動改札機Ｇで当日（本発明の所定の期間に相当している。）に入場処理されたトークン数からその当日に乙駅に設置されている自動改札機Ｇに投入して出場処理された出場トークン数を減算して行われる（ステップ１０４）。この出場側のトークンＴの紛失は、甲駅から乙駅間におけるトークンＴの使用中に利用者が紛失したか、あるいは、そのトークンＴを使用せずに乙駅から出場したためなどによるものである。なお、乙駅の精算機ｂがトークンＴに精算済データを書込むことなく、他の精算トークンを発行する形式のときは、精算機ｂで精算処理されたトークンＴの枚数も乙駅の自動改札機Ｇの出場枚数に加算される。
【００２６】
ホストコンピュータＨでは、入場側の紛失枚数Ｎ１と出場側の紛失枚数Ｎ２とを加算処理して当日における紛失の総数が求められる（ステップ１０６）。したがって、この求められた紛失総数に基づいてシステム全体に補給しなければならないトークン数を把握することができる。また、当日の紛失トークン数から保管しておかなければならないトークン数を予想することが可能となる。
【００２７】
なお、一度紛失したトークンＴが後日使用されたときや係員に返却されたときは、紛失トークンＴのＩＤと照合されてシステム内の紛失トークンデータから削除される。
【００２８】
なお、上述の紛失トークンの検出期間は、１日単位で行われたが、１週間単位、あるいは１か月単位等の長期間に亘る検出期間としてもよい。
【００２９】
【発明の効果】
本発明の請求項１に記載のトークンの管理システムは、トークン発行機から発行された所定の期間におけるトークンの発行数を抽出する発行トークン数抽出手段と、前記所定の期間内における自動改札機に投入して入場処理された前記トークンの入場数を抽出する入場トークン数抽出手段と、抽出されたトークンの発行数及び入場数の差から前記所定の期間におけるトークンの入場側の紛失数を算出する入場側紛失トークン数検出手段とを有するので、入場側におけるトークンの紛失が正確に把握でき、それに基づいて補給用の生トークンを用意することができるなど、トークン管理を効率よく行うことができる。
【００３０】
本発明の請求項２に記載のトークンの管理システムは、所定の期間内における自動改札機に投入して入場処理されたトークンの入場数を抽出する入場トークン数抽出手段と、前記所定の期間内における前記自動改札機に投入して出場処理された前記トークンの出場数を抽出する出場トークン数抽出手段と、抽出されたトークンの入場数及び出場数の差から前記所定の期間におけるトークンの出場側の紛失数を算出する出場側紛失トークン数検出手段とを有するので、出場側におけるトークンの紛失が正確に把握でき、それに基づいて補給用の生トークンを用意することができるなど、トークン管理を効率よく行うことができる。
【００３１】
本発明の請求項３に記載のトークンの管理システムは、トークン発行機から発行された所定の期間におけるトークンの発行数を抽出する発行トークン数抽出手段と、前記所定の期間内における自動改札機に投入して入場処理された前記トークンの入場数を抽出する入場トークン数抽出手段と、抽出されたトークンの発行数及び入場数の差から前記所定の期間におけるトークンの入場側の紛失数を算出する入場側紛失トークン数検出手段と、前記所定の期間内における前記自動改札機に投入して出場処理された前記トークンの出場数を抽出する出場トークン数抽出手段と、抽出されたトークンの入場数及び出場数の差から前記所定の期間におけるトークンの出場側の紛失数を算出する出場側紛失トークン数検出手段と、検出された入場側紛失数及び出場側紛失数の合計から前記所定の期間内の総紛失数を算出する総紛失数算出手段とを有するので、トークンの紛失が正確に把握でき、それに基づいて補給用の生トークンを用意することができるなど、トークン管理を効率よく行うことができる。
本発明の請求項４に記載のトークンの管理システムは、所定の期間を１日としたので、１日毎の紛失したトークン数を把握することができ、きめ細かなトークン管理を行うことが可能となる。
【図面の簡単な説明】
【図１】本発明の一実施の形態に係るトークン管理システムを用いた改札処理システムの概略構成図である。
【図２】トークン処理機の制御器及びトークンの電気的構成を示すブロック図である。
【図３】制御動作を示すフローチャートである。
【符号の説明】
Ｔ　トークン（非接触式トークン）
Ｇ　非接触式自動改札機（自動改札機）
ａ　トークン発行機
ｂ　精算機
Ｈ　ホストコンピュータ
【図１】
2004005101.tif 000003
【図２】
2004005101.tif 000004
【図３】
2004005101.tif 000005